(57)【要約】【課題】上下シェルハーフが周壁の複数箇所において溶接されて形成された扁平なハウジング内に記録媒体が収容されてなる記録媒体カートリッジにおいて、上下シェルハーフの周壁の溶接により記録媒体が損傷するのを防止する。【解決手段】上下シェルハーフの周壁３ｓ，４ｓを少なくとも溶接箇所において互いに重ね合せる。【選択図】        図１
2006092682.tif 000002
【特許請求の範囲】
【請求項１】
上下シェルハーフが周壁の複数箇所において溶接されて形成された扁平なハウジング内に記録媒体が収容されてなる記録媒体カートリッジにおいて、
前記上下シェルハーフの周壁が、少なくとも溶接箇所において互いに重ね合せられていることを特徴とする記録媒体カートリッジ。
【請求項２】
前記上下シェルハーフの周壁が、全ての領域に亘って互いに重ね合せられていることを特徴とする請求項１記載の記録媒体カートリッジ。
【発明の詳細な説明】
【技術分野】
【０００１】
本発明は、上下シェルハーフが周縁部の複数箇所において溶接されて形成された扁平なハウジング内に記録媒体か収容されてなる記録媒体カートリッジに関するものである。
【背景技術】
【０００２】
従来より、デジタルカメラ等のモバイル機器においては、記録媒体として、「ｃｌｉｋ！（登録商標）」と呼ばれる超小型の記録媒体カートリッジが使用されている（特許文献１参照）。
【０００３】
この記録媒体カートリッジ１は、図３（斜視図）および図４（ａ），（ｂ）（平面図および裏面図）に示すように、ドライブ装置に押込み装填するときに指を当てる押込み部２ａを含む、スタビライザと呼ばれる樹脂製のフレーム２と、このフレーム２に嵌合された金属薄板(厚さ０．３ｍｍのステンレス鋼板)からなる平坦な主面を備えた上シェルハーフ３および下シェルハーフ４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）のディスク状磁気記録媒体５を回転自在に収容している。磁気記録媒体５の中央部には、中心孔１０ａを備えたハブ（センタコア）１０が固着されている。
【０００４】
この記録媒体カートリッジ１は、幅５３ｍｍ、奥行き８５ｍｍ、厚さ５ｍｍの外寸を有するＴＹＰＥII  ＰＣカード型のドライブ装置（図略）が備えているスロットに挿入形式でローディングされるように構成され、そのハウジングには、上記ドライブ装置が備えている記録再生用磁気ヘッドを磁気記録媒体５の表面にアクセスさせるためのＶ字状の開口６が形成され、さらに、ハウジングと磁気記録媒体５との間には、上記開口６を回転式に開閉するための、開口７ａを備えたロータリーシャッタ７が介装されている。このロータリーシャッタ７は、図示しないバネ部材によって閉方向に付勢され、かつ上シェルハーフ３に取り付けられている図示しないロック部材により閉位置にロックされるように構成されている。
【０００５】
なお、図３および図４（ａ），（ｂ）は、ロータリーシャッタ７の開口７ａがハウジング内に潜入して、ロータリーシャッタ７がハウジングの開口６を閉じている状態、すなわち閉位置にある状態を示している。
【０００６】
ロータリーシャッタ７は、図４（ａ）の５−５線に沿った要部拡大断面図である図５に示すように、周壁部において互いに嵌合されたアルミニウム薄板製の上下シャッターハーフ７Ｕ，７Ｄからなり、上シャッターハーフ７Ｕは、上シェルハーフ３の下面から内方へ突出する小径の円筒体３ａによって回転可能に軸支され、円筒体３ａの先端には、上シャッターハーフ７Ｕが円筒体３ａからの抜出すのを防止するためのセンタピンと呼ばれる抜止め部材１１が溶接されて、ハブ１０の中心孔１０ａ内に介入している。上下シャッターハーフ７Ｕ，７Ｄの内面には、磁気記録媒体５の表面を清掃するための不織布からなるライナ１３がそれぞれ貼り付けられている。
【０００７】
下シェルハーフ４の中央部には、ハブ１０を外部に臨ませる円形の開口４ａが形成され、下シャッターハーフ７Ｄの中心部には、下シェルハーフ４の開口４ａの周縁に遊嵌される大径の円筒体７Ｄａが下方へ向かって突設されて、この円筒体７Ｄａによって下シャッターハーフ７Ｄが下シェルハーフ４に回転可能に支持されているとともに、円筒体７Ｄａの先端部がカシメられて、下シャッターハーフ７Ｄが下シェルハーフ４からの抜け出すのを防止するフランジ１２が形成されている。
【０００８】
さらに下シェルハーフ４には、図４（ｂ）から明らかなように、ロータリーシャッタ７と同心的な円弧状開口４ｂが形成され、下シャッターハーフ７Ｄには、上記円弧状開口４ｂから突出しかつこの円弧状開口４ｂに沿って移動してロータリーシャッタ７を開閉するシャッターノブ７ｂが固設されている。そして、ドライブ装置に対する記録媒体カートリッジ１のローディング動作（押込み動作）に伴って、ロック部材によるロータリーシャッタ７の閉位置でのロックが解除されて、ロータリーシャッタ７が回動可能になるとともに、ドライブ装置が備えている係合壁面がシャッターノブ７ｂに係合して、ロータリーシャッタ７がその開口７ａを上下シェルハーフ３，４の開口６にほぼ一致させる開位置まで約６０度回転されることにより、図６（ａ），（ｂ）（平面図および裏面図）に示すように、磁気記録媒体５がハウジングの開口６から露出された状態でドライブ装置に装填される。
【０００９】
また、ドライブ装置に装填された記録媒体カートリッジ１は、これをさらにドライブ装置側に押すことにより、ドライブ装置との係合が外れてドライブ装置からの排出が可能になり、図示しないバネ部材によってロータリーシャッタ７が図６（ａ），（ｂ）に示す閉位置に復帰するように構成されている。
【００１０】
上下シェルハーフ３，４は、図５の右端に示すように、双方の周壁３ｓ，４ｓのエッジ同士を互いに突き合わせ、この突合せ線に沿った図４（ａ）に示す１３箇所の溶接箇所Ｗ１〜Ｗ１３におけるレーザービームを用いたスポット溶接により組み立てられる。
【００１１】
なお、図５においては、スポット溶接部をＷで示してある。
【特許文献１】米国特許第６,１３３,５４４号明細書
【発明の開示】
【発明が解決しようとする課題】
【００１２】
ところで、上下シェルハーフ３，４の周壁３ｓ，４ｓにおける突合せ部位においては、その隙間がゼロになることが望ましいが、実際問題として隙間をゼロにすることは不可能であり、溶接箇所には僅かな隙間が存在するのが普通である。
【００１３】
一方、レーザー溶接では、直径１ｍｍにも満たない微小な加工点に数ｋＷのエネルギーを集中できるため、加工点では激しい蒸発が起こり、レーザーから得た熱と激しい蒸発の蒸発反力によって加工点にキーホールと呼ばれる深い穴が形成されながら溶接が進行することにより、深溶込み溶接が可能になる。
【００１４】
しかしながら、突合せ部に隙間があると、沸騰溶融が突合せ部の裏面まで到達していなくても、図７に示すように、突合せ部の隙間からスパッタやガス、酸化物が飛び出し、ロータリーシャッタ７等の部材に付着し、時には記録媒体にも到達する可能性がある。また、ロータリーシャッタ７の外面に付着した塵埃は、後日の使用時に振動等で剥がれて、記録媒体や記録再生ヘッドに挟まる等の致命的なエラーを惹き起こすこともある。
【００１５】
さらに、突合せ部はずれ易く、このずれがハウジングの寸法精度を低下させるので、溶接に際しては、双方の周壁３ｓ，４ｓの正確な位置合せが必要である。
【００１６】
上述した特許文献１においては、溶接箇所には、周壁３ｓ，４ｓの突合せ部位の一方に０．０８ｍｍ程度の凸部を設け、全体の歪みで突合せ部に隙間が生じるのを防止しているが、このように凸部を設けた場合でも、突合せ部に隙間が生じる問題を防ぎきれず、この隙間から塵埃が侵入するおそれもあった。
【００１７】
上記隙間から塵埃が侵入する問題は、ハウジングの上下シェルハーフが、レーザー溶接される金属薄板で形成されている場合に限らず、プラスチックで形成された上下シェルハーフの超音波溶接によってハウジングが構成される場合にも発生する。
【００１８】
すなわち図８に示すように、上下シェルハーフ３′，４′の周壁３ｓ′，４ｓ′の突合せ面の一方に溶接用リブｒを設け、超音波溶接用ホーンＨを用いて溶接部に超音波振動を与えてリブｒを溶かして溶接する場合にも、突合せ部の隙間から塵埃がハウジング内部に侵入することになる。
【００１９】
上述の事情に鑑み、本発明は、溶接により記録媒体が損傷したり、溶接時に突合せ部の隙間から塵埃がハウジング内部に侵入したりするのを防止するとともに、ハウジングの寸法精度を向上させることを目的とするものである。
【課題を解決するための手段】
【００２０】
本発明は、上下シェルハーフが周壁の複数箇所において溶接されて形成された扁平なハウジング内に記録媒体が収容されてなる記録媒体カートリッジにおいて、
上下シェルハーフの周壁が、少なくとも溶接箇所において互いに重ね合せられていることを特徴とするものである。
【００２１】
上記上下シェルハーフの周壁が全ての領域において互いに重ね合せられていてもよい。
【発明の効果】
【００２２】
本発明によれば、上下シェルハーフの周壁が、少なくとも溶接箇所において互いに重ね合せられていることにより、溶接時に突合せ部の隙間からスパッタ等がハウジング内に漏れるのを防止することができるとともに、重なり部分の存在によって上下シェルハーフの周壁のずれが抑制されるから、ハウジングの寸法精度を向上させることができる。
【発明を実施するための最良の形態】
【００２３】
以下、本発明の実施の形態について、図面を参照して詳細に説明する。
【００２４】
図１（ａ）〜（ｃ）は、本発明による記録媒体カートリッジのハウジングにおける上下シェルハーフの周縁部の拡大断面図である。なおこの実施例においては、ハウジングを除く他の部分の構成が、図５に示す従来の記録媒体カートリッジと同様なため、ハウジング以外の図示ならびに詳細な説明は省略してある。
【００２５】
図１（ａ）に示すハウジングにおいては、上シェルハーフ３の周壁３ｓが、下シェルハーフ４の周壁４ｓの内側まで延びて、周壁４ｓと重なり合う部分３ｓａを備えており、下シェルハーフ４の周壁４ｓの上端エッジにおいて、両周壁３ｓ，４ｓ同士がスポット溶接されている（スポット溶接部Ｗ）。
【００２６】
この重なり合い部分は、少なくとも溶接箇所のみでよいが、上下シェルハーフ３，４の周壁３ｓ，４ｓが全ての領域において互いに重ね合せられていてもよい。
【００２７】
本実施例によれば、上下シェルハーフ３，４の周壁３ｓ，４ｓが、少なくとも溶接箇所において互いに重ね合せられていることにより、突合せ部の隙間からスパッタ等がハウジング内に漏れるのを防止することができるとともに、重なり合い部分の存在によって上下シェルハーフ３，４の周壁３ｓ，４ｓの周壁のずれが抑制されるから、ハウジングの寸法精度を向上させることができる。
【００２８】
なお、上記重なり合い部分は、図１（ｂ）に示すように、周壁３ｓ，４ｓの双方にそれぞれ段部を形成する重なり合う部分３ｓｂ，４ｓｂを設けて、いわゆる印籠継ぎの状態であってもよく、あるいは図１（ｃ）に示すように、周壁３ｓ，４ｓの双方にそれぞれ傾斜面を形成する重なり合う部分３ｓｃ，４ｓｃを設けてもよい。
【００２９】
上述の実施例は、外径１．８インチ（約４６ｍｍ）の磁気記録媒体５を備えた「ｃｌｉｋ！」の場合であるが、本発明はこれに限定されるものではなく、将来開発されるであろう更に小型で高密度な１インチ（約２５ｍｍ）や０．８インチ(約２０ｍｍ)等の超小型高密度記録媒体を備えたカートリッジにも適用可能であり、記録媒体はディスクに限らず、テープ、ハードディスク、光媒体、半導体等であってもよい。
【００３０】
また、上述の実施例では、ロータリーシャッタ７がハウジングに内蔵されたものであるが、本発明は、ロータリーシャッタあるいはスライドシャッタを外装した記録媒体カートリッジにも適用可能であることは言うまでもない。溶接手段はレーザーによるスポット溶接に限らず、抵抗溶接であってみよい。
【００３１】
さらに、ハウジングがプラスチックからなる場合、図２に示すように、上下シェルハーフ３′，４′の周壁３ｓ′，４ｓ′の双方に、図１（ｂ）と同様の段部を形成する重なり合う部分３ｓｂ′，４ｓｂ′を設けて超音波溶接を行なえばよい。
【図面の簡単な説明】
【００３２】
【図１】図１（ａ）〜（ｃ）は、本発明による記録媒体カートリッジの上下シェルハーフの周壁における溶接部の拡大断面図である。
【図２】本発明による記録媒体カートリッジの上下シェルハーフがプラスチックからなる場合の周壁における溶接部の拡大断面図である。
【図３】従来の記録媒体カートリッジの斜視図である。
【図４】図４（ａ），（ｂ）は、図３の記録媒体カートリッジの、ロータリーシャッタが閉位置にある状態を示す平面図および底面図である。
【図５】図４（ａ）の５−５線に沿った要部の拡大断面図である。
【図６】図６（ａ），（ｂ）は、図３の記録媒体カートリッジの、ロータリーシャッタが開位置にある状態を示す平面図および底面図である。
【図７】従来の記録媒体カートリッジの上下シェルハーフの周壁における溶接部の拡大断面図である。
【図８】従来の記録媒体カートリッジのハウジングがプラスチックからなる場合の上下シェルハーフの周壁における溶接部の拡大断面図である。
【符号の説明】
【００３３】
１    記録媒体カートリッジ
３    上シェルハーフ
３ｓ    上シェルハーフの周壁
４    下シェルハーフ
４ｓ    下シェルハーフの周壁
５    磁気記録媒体
６    ハウジングの開口
７    ロータリーシャッタ
７Ｕ    上シャッターハーフ
７Ｄ    下シャッターハーフ
Ｗ    スポット溶接部
Ｗ１〜Ｗ１３    溶接箇所
【図１】
2006092682.tif 000003
【図２】
2006092682.tif 000004
【図３】
2006092682.tif 000005
【図４】
2006092682.tif 000006
【図５】
2006092682.tif 000007
【図６】
2006092682.tif 000008
【図７】
2006092682.tif 000009
【図８】
2006092682.tif 000010
【手続補正書】
【提出日】平成16年12月8日(2004.12.8)
【手続補正１】
【補正対象書類名】明細書
【補正対象項目名】０００６
【補正方法】変更
【補正の内容】
【０００６】
ロータリーシャッタ７は、周壁部において互いに嵌合されたアルミニウム薄板製の上下シャッターハーフ７Ｕ，７Ｄからなり、上シャッターハーフ７Ｕは、上シェルハーフ３の下面から内方へ突出する小径の円筒体によって回転可能に軸支され、円筒体の先端には、上シャッターハーフ７Ｕが円筒体からの抜け出すのを防止するためのセンタピンと呼ばれる抜止め部材１１が溶接されて、ハブ１０の中心孔１０ａ内に介入している。上下シャッターハーフ７Ｕ，７Ｄの内面には、磁気記録媒体５の表面を清掃するための不織布からなるライナがそれぞれ貼り付けられている。
【手続補正２】
【補正対象書類名】明細書
【補正対象項目名】０００７
【補正方法】変更
【補正の内容】
【０００７】
下シェルハーフ４の中央部には、ハブ１０を外部に臨ませる円形の開口４ａが形成され、下シャッターハーフ７Ｄの中心部には、下シェルハーフ４の開口４ａの周縁に遊嵌される大径の円筒体が下方へ向かって突設されて、この円筒体によって下シャッターハーフ７Ｄが下シェルハーフ４に回転可能に支持されているとともに、円筒体の先端部がカシメられて、下シャッターハーフ７Ｄが下シェルハーフ４からの抜け出すのを防止するフランジが形成されている。
【手続補正３】
【補正対象書類名】明細書
【補正対象項目名】０００８
【補正方法】変更
【補正の内容】
【０００８】
さらに下シェルハーフ４には、図４（ｂ）から明らかなように、ロータリーシャッタ７と同心的な円弧状開口４ｂが形成され、下シャッターハーフ７Ｄには、上記円弧状開口４ｂから突出しかつこの円弧状開口４ｂに沿って移動してロータリーシャッタ７を開閉するシャッターノブ７ｂが固設されている。そして、ドライブ装置に対する記録媒体カートリッジ１のローディング動作（押込み動作）に伴って、ロック部材によるロータリーシャッタ７の閉位置でのロックが解除されて、ロータリーシャッタ７が回動可能になるとともに、ドライブ装置が備えている係合壁面がシャッターノブ７ｂに係合して、ロータリーシャッタ７がその開口７ａを上下シェルハーフ３，４の開口６にほぼ一致させる開位置まで約６０度回転されることにより、図５（ａ），（ｂ）（平面図および底面図）に示すように、磁気記録媒体５がハウジングの開口６から露出された状態でドライブ装置に装填される。
【手続補正４】
【補正対象書類名】明細書
【補正対象項目名】０００９
【補正方法】変更
【補正の内容】
【０００９】
また、ドライブ装置に装填された記録媒体カートリッジ１は、これをさらにドライブ装置側に押すことにより、ドライブ装置との係合が外れてドライブ装置からの排出が可能になり、図示しないバネ部材によってロータリーシャッタ７が図４（ａ），（ｂ）に示す閉位置に復帰するように構成されている。
【手続補正５】
【補正対象書類名】明細書
【補正対象項目名】００１０
【補正方法】変更
【補正の内容】
【００１０】
上下シェルハーフ３，４は、双方の周壁のエッジ同士を互いに突き合わせ、この突合せ線に沿った図４（ａ）に示す１３箇所の溶接箇所Ｗ１〜Ｗ１３におけるレーザービームを用いたスポット溶接により組み立てられる。
【手続補正６】
【補正対象書類名】明細書
【補正対象項目名】００１１
【補正方法】変更
【補正の内容】
【００１１】
【特許文献１】米国特許第６,１３３,５４４号明細書
【手続補正７】
【補正対象書類名】明細書
【補正対象項目名】００１２
【補正方法】変更
【補正の内容】
【００１２】
ところで、上下シェルハーフ３，４の周壁における突合せ部位においては、その隙間がゼロになることが望ましいが、実際問題として隙間をゼロにすることは不可能であり、溶接箇所には僅かな隙間が存在するのが普通である。
【手続補正８】
【補正対象書類名】明細書
【補正対象項目名】００１４
【補正方法】変更
【補正の内容】
【００１４】
しかしながら、突合せ部に隙間があると、沸騰溶融が突合せ部の裏面まで到達していなくても、図６に示すように、突合せ部の隙間からスパッタやガス、酸化物が飛び出し、ロータリーシャッタ７等の部材に付着し、時には記録媒体にも到達する可能性がある。また、ロータリーシャッタ７の外面に付着した塵埃は、後日の使用時に振動等で剥がれて、記録媒体や記録再生ヘッドに挟まる等の致命的なエラーを惹き起こすこともある。
【手続補正９】
【補正対象書類名】明細書
【補正対象項目名】００１８
【補正方法】変更
【補正の内容】
【００１８】
すなわち図７に示すように、上下シェルハーフ３′，４′の周壁３ｓ′，４ｓ′の突合せ面の一方に溶接用リブｒを設け、超音波溶接用ホーンＨを用いて溶接部に超音波振動を与えてリブｒを溶かして溶接する場合にも、突合せ部の隙間から塵埃がハウジング内部に侵入することになる。
【手続補正１０】
【補正対象書類名】明細書
【補正対象項目名】００２４
【補正方法】変更
【補正の内容】
【００２４】
図１（ａ）〜（ｃ）は、本発明による記録媒体カートリッジのハウジングにおける上下シェルハーフの周縁部の拡大断面図である。なおこの実施例においては、ハウジングを除く他の部分の構成が、図３〜図５に示す従来の記録媒体カートリッジと同様なため、ハウジング以外の図示ならびに詳細な説明は省略してある。
【手続補正１１】
【補正対象書類名】明細書
【補正対象項目名】００３２
【補正方法】変更
【補正の内容】
【００３２】
【図１】図１（ａ）〜（ｃ）は、本発明による記録媒体カートリッジの上下シェルハーフの周壁における溶接部の拡大断面図である。
【図２】本発明による記録媒体カートリッジの上下シェルハーフがプラスチックからなる場合の周壁における溶接部の拡大断面図である。
【図３】従来の記録媒体カートリッジの斜視図である。
【図４】図４（ａ），（ｂ）は、図３の記録媒体カートリッジの、ロータリーシャッタが閉位置にある状態を示す平面図および底面図である。
【図５】図５（ａ），（ｂ）は、図３の記録媒体カートリッジの、ロータリーシャッタが開位置にある状態を示す平面図および底面図である。
【図６】従来の記録媒体カートリッジの上下シェルハーフの周壁における溶接部の拡大断面図である。
【図７】従来の記録媒体カートリッジのハウジングがプラスチックからなる場合の上下シェルハーフの周壁における溶接部の拡大断面図である。
【手続補正１２】
【補正対象書類名】図面
【補正対象項目名】全図
【補正方法】変更
【補正の内容】
【図１】
2006092682.tif 000011
【図２】
2006092682.tif 000012
【図３】
2006092682.tif 000013
【図４】
2006092682.tif 000014
【図５】
2006092682.tif 000015
【図６】
2006092682.tif 000016
【図７】
2006092682.tif 000017